(57)【要約】【課題】弾球遊技機において例えば右打ち等の特殊な打ち方をせずとも誰もが効率良く大当たり等に伴う賞球を狙えるようにする。【解決手段】遊技盤２０に形成した横長方形状の大入賞口８２を開閉させるシャッター８１を備えるパチンコ機１において、シャッター８１の前面に遊技球を左右の何れか一方の端側に誘導する傾斜レール部８３を形成する。比較的緩やかな球筋が設定できる傾斜レール部８３により入賞役物を一方の遊技領域にまとめて遊技ルートをひとつにでき、これにより、遊技者は、打ち出しの狙いを定めて大当たり等に伴う賞球を十分に獲得することができる。【選択図】図５
2007236791.tif 000002
【特許請求の範囲】
【請求項１】
ゲージが形成された遊技盤に遊技球を打ち出し転動落下させて遊技を行う弾球遊技機であって、
前記遊技盤に形成された大入賞口と、該大入賞口を閉塞した状態で前面が当該遊技盤の盤面と同一面に位置する電動開閉式のシャッターとを有してなるアタッカーを少なくとも備え、
前記シャッターの前記前面に、転動落下する遊技球を左右の何れか一方の端側に誘導し若しくは両方の端側に振り分ける傾斜レール部を形成したことを特徴とする弾球遊技機。
【請求項２】
前記遊技盤に設けられている始動入賞口への遊技球の入球に基づいて、相対的に高い利益が得られる特別遊技状態を抽選する内部抽選手段を更に備え、
前記内部抽選手段が前記特別遊技状態を当選するに伴い前記アタッカーが前記シャッターを開放し、前記大入賞口への遊技球の入球を契機に当該特別遊技状態の成立を確定させることを特徴とする請求項１に記載の弾球遊技機。
【請求項３】
前記アタッカーは、前記遊技盤の中心に対し左右何れかの側に予め設定された遊技ルートの途中に設けられていることを特徴とする請求項１又は２に記載の弾球遊技機。
【発明の詳細な説明】
【技術分野】
【０００１】
本発明は、例えば右打ち等の特殊な打ち方をせずとも誰もが効率良く大当たり等に伴う賞球を狙えるようにした弾球遊技機に関する。
【背景技術】
【０００２】
パチンコ機に代表される弾球遊技機は、発射ハンドルの回動操作に応じて遊技球を遊技盤へ打ち出しながら遊技を行うもので、遊技盤に設けられたチャッカー等の入賞口へ遊技球が入球することにより、所定数の遊技球を賞球として皿ユニットへ払い出すよう構成されている。近年、例えば遊技盤の盤面中心から向かって右側にも特定の遊技領域（遊技ルート）を設定し、更には大当たり確定に伴う賞球を得るための電動開閉チューリップ構成の入賞口を前述の右側の遊技ルートに設けた弾球遊技機も登場している。
【０００３】
このような弾球遊技機によれば、大当たり等において遊技者は、できるだけ短時間内に開放した電動チューリップ等の入賞口に遊技球を入球させようと、右側の遊技ルートを狙って遊技球を打ち出すこととなる。
【０００４】
なお、本明細書では、弾球遊技機の遊技盤の右側若しくは左側等のように縦方向に分離して設定された遊技領域を「遊技ルート」と定義し、例えば右側の遊技ルートを狙って遊技球を打ち出す遊技技法を「右打ち」といっている。
【発明の開示】
【発明が解決しようとする課題】
【０００５】
ところで、従来の弾球遊技機においては、例えば遊技盤の左右の側に遊技ルートを設定した場合にゲージのみにより球筋の特性を定めようとすると、少なくとも遊技球が留まらない傾斜角度以上でゲージを配列しなければならず、また遊技領域として確保できる遊技盤の幅にも制限があるため、必然的に電動チューリップ等の入賞口の位置を下げなければならなかった。その結果、１回のゲームの消化時間が長くなり、弾球遊技機の稼働率の低下を招く等の課題があった。
【０００６】
また、通常のゲームよりも多くの賞球が得られる大当たり等の確率変動遊技時において右打ち等の特殊な打ち方が要求されると、これを知らない遊技者は、大当たりにおいて当然に期待される個数の賞球が得られないといった課題もある。
【０００７】
本発明は、こうした従来の問題に鑑みてなされたものであり、遊技盤の遊技領域を有効に利用しながらも、例えば右打ち等の特殊な打ち方をせずとも誰もが効率良く大当たり等に伴う賞球を狙えるようにした弾球遊技機を提供することを目的としている。また、本発明は、遊技時間を短縮して遊技の消化（稼働）率を向上させる等の弾球遊技機を提供することを目的としている。
【課題を解決するための手段】
【０００８】
上述した課題を解決するため、請求項１に記載の発明は、ゲージが形成された遊技盤に遊技球を打ち出し転動落下させて遊技を行う弾球遊技機であって、前記遊技盤に形成された大入賞口と、該大入賞口を閉塞した状態で前面が当該遊技盤の盤面と同一面に位置する電動開閉式のシャッターとを有してなるアタッカーを少なくとも備え、前記シャッターの前記前面に、転動落下する遊技球を左右の何れか一方の端側に誘導し若しくは両方の端側に振り分ける傾斜レール部を形成したことを特徴とする。
【０００９】
請求項１に記載の弾球遊技機によれば、アタッカーの電動開閉式のシャッターが閉じた状態では、シャッターの前面に形成した傾斜レール部が、転動落下する遊技球を左右の何れか一方の端側に誘導し若しくは両方の端側に振り分ける。
【００１０】
これにより、従来の釘（ゲージ）に比較して緩やかな勾配で遊技球の球筋特性を設定することができる。したがって、入賞役物等を遊技盤の比較的高い位置に設けることができ、弾球遊技機による遊技時間を短縮する。
【００１１】
また、入賞役物等を遊技盤の一方の側の遊技ルートに集中配置できるため、遊技ルートをひとつにして遊技領域を有効利用できる。また、遊技者は、遊技球を打ち出す先を容易に狙うことができ、誰もが遊技を十分に楽しむことができる。
【００１２】
請求項２に記載の発明は、請求項１に記載の弾球遊技機であって、前記遊技盤に設けられている始動入賞口への遊技球の入球に基づいて、相対的に高い利益が得られる特別遊技状態を抽選する内部抽選手段を更に備え、前記内部抽選手段が前記特別遊技状態を当選するに伴い前記アタッカーが前記シャッターを開放し、前記大入賞口への遊技球の入球を契機に当該特別遊技状態の成立を確定させることを特徴とする。
【００１３】
請求項２に記載の弾球遊技機によれば、内部抽選手段が特別遊技状態を当選するに伴いアタッカーのシャッターが開放され、この状態で当該アタッカーの大入賞口への入球が検知されると当該特別遊技状態の成立が確定する。アタッカーを遊技盤の一方の側に集中配置することで遊技ルートをひとつにでき、誰もが遊技球を打ち出す先を容易に狙うことができる。したがって、遊技者は、例えば右打ち等の特殊な打ち方を知らなくても大当たり等の特別遊技状態の成立に伴う賞球を効率良く獲得することができる。
【００１４】
請求項３に記載の発明は、請求項１又は２に記載の弾球遊技機であって、前記アタッカーは、前記遊技盤の中心に対し左右何れかの側に予め設定された遊技ルートの途中に設けられていることを特徴とする。
【００１５】
請求項３に記載の弾球遊技機によれば、遊技盤の中心に対し左右何れかの側に予め設定された遊技ルートの途中にアタッカーを設けることで、遊技ルートをひとつにして遊技領域を有効利用できる。また、遊技者は、遊技球を打ち出す先を容易に狙うことができる。また、アタッカーを遊技ルートの途中に設けることで、遊技時間を短縮させる。
【発明の効果】
【００１６】
上述したように本発明の弾球遊技機によれば、遊技盤の遊技領域を有効に利用でき、また、例えば右打ち等の特殊な打ち方をせずとも誰もが効率良く大当たり等に伴う賞球を狙うことができる。また、本発明は、入賞役物等を遊技盤の比較的高い位置に設けることができ、遊技時間を短縮して遊技の消化（回転）を早くすることができる。
【発明を実施するための最良の形態】
【００１７】
以下、本発明の好適な一実施形態として弾球遊技機の代表例であるパチンコ機をとりあげ、その構成について図面を参照しながら説明する。ここで、図１は実施形態によるパチンコ機１の外観構造を表す正面図である。図２はガラス枠４及び一体皿ユニット５を開放した状態におけるパチンコ機１の内部構造を表した図であって、主に遊技盤２０と前枠３の前面側構造を表している。更に、図３はパチンコ機１の側面図、図４はその背面図である。
【００１８】
パチンコ機１は、本体を遊技島へ固定保持するための外郭枠となる矩形縦長の木枠２と、当該木枠２に対してヒンジ部材３ａにより開閉可能に装着され、通常時には木枠２の前側の開口を閉鎖する前枠３とを備えている。前枠３の前面側には、透明な２枚のガラス板から形成されペアガラスと称される透明板が取り付けられたガラス枠４と、硬質プラスチックで受皿部５ａ等が一体形成された一体皿ユニット５が開閉可能に装着されている。
【００１９】
なお、前枠３内には、前枠３を木枠２側へ閉めることで自動的に施錠し、且つ、一体皿ユニット５とともにガラス枠４を前枠３側へ閉めることでも自動的に施錠する図示しない施錠装置が設けられ、前枠３の前面右方部に形成されている鍵穴６に所定の鍵を挿入して開錠操作をすることにより、これらを開放することができるようになっている。
【００２０】
また、前枠３の前面であってガラス枠４の裏面部分と対向する一カ所にガラス枠開放スイッチ４２が設けられている。ガラス枠開放スイッチ４２は、ガラス枠４が前枠３に対して閉鎖されると押圧された状態でオフ動作し、ガラス枠４が開放されるとオン動作することで、ガラス枠４の閉鎖及び開放状態を検知する。
【００２１】
はじめに、図１及び図２を参照して、パチンコ機１の前面側構造を詳細に説明する。
【００２２】
ガラス枠４の前面上部には、高輝度の発光ダイオード等のランプ類を内蔵する演出用照明部４ａ、４ｂ、４ｃが配設されている。なお、これらの効果ランプは、例えばガラス枠４の開放エラー等を光で報知するための報知ランプとしても機能する。
【００２３】
ガラス枠４の下方に設けられる一体皿ユニット５には、払い出された遊技球（賞球や貸球）を貯留して整列させる受皿部５ａが形成されている。一体皿ユニット５の前面下方部には、パチンコ機１のゲームに係る効果音又は遊技の進行を音声で案内するためのスピーカ９を備える演出用放音部５ｂが配設されている。
【００２４】
また、一体皿ユニット５の前面略中央には、受皿部５ａに貯留されている遊技球を一体皿ユニット５底部の球排出口５ｅから下方の球箱（ドル箱）等へ排出させる球抜きボタン５ｃ、５ｄが設けられている。なお、左側の球抜きボタン５ｃは、受皿部５ａ上の遊技球を球発射装置５０付近から排出させ、右側の球抜きボタン５ｄは、受皿部５ａの遊技球を賞球払出口２７付近から下方へ排出させる。
【００２５】
一体皿ユニット５の前面右下方部には、受皿部５ａに貯留された遊技球を遊技盤２０へ向けて打ち出す操作をするための発射ハンドル８が配設されている。発射ハンドル８は、内蔵するバネによって反時計回りに常時付勢される回動操作部８ａを有し、遊技者が回動操作部８ａに触れながら付勢力に抗して回動操作部８ａを時計回りに回動操作すると、球発射装置５０が作動して回動操作部８ａの回動角度に応じた打撃力で遊技球が遊技盤２０に打ち出されるようになっている。
【００２６】
図２に示されるように、前枠３は、硬質プラスチックから一体形成され、木枠２と略同一寸法の基枠体３０を有するとともにガラス枠４と対向する基枠体３０の略中央には、遊技盤２０を着脱可能に収容するための開口する遊技盤収容部３１が形成されている。
【００２７】
なお、基枠体３０の前面側には回転ロック部材３０１が複数個、適宜の位置に配置されている。遊技盤２０は、各回転ロック部材３０１と対応する位置に形成された係止孔２０ａに当該回転ロック部材３０１を挿通させて９０度回転させることで、基枠体３０の遊技盤収容部３１に保持される。そして、ガラス枠４が前枠３側へ閉じられた状態では、ガラス枠４に取り付けられている透明なペアガラスが遊技盤２０の盤面に対して所定の間隔で対向し、これら対向配置されたペアガラスと盤面とにより、遊技球を転動落下させる遊技領域空間が画成される。
【００２８】
遊技盤２０は、所定板厚の積層合板の表面に絵柄が描かれたセルが貼り付けられて盤面が形成され、その左側（ガラス枠４がヒンジ結合する側）周部に、ステンレス鋼板等からなる帯状の外レール７１が取り付けられている。また、外レール７１より内側に形成される発射路を挟むように、所定長さの内レール７２が外レール７１に沿って遊技盤２０の盤面に突出して設けられている。そして、内レール７２よりも更に内側の盤面領域がパチンコ遊技の遊技領域となっている。
【００２９】
この遊技領域として画される遊技盤２０の盤面には、複数の釘が所定の配列パターンで打設されたゲージが形成されており、遊技盤２０へ発射された遊技球が複数の釘に衝突しながら偶発的にその方向を変えて遊技領域空間内を転動落下するように構成されている。
【００３０】
遊技盤２０の盤面略中央には、液晶表示ユニット５３を透視可能とするとともに例えばセンター役物を構成する飾り部材２８が設けられている。上述の抽選し結果は、液晶表示ユニット５３によって表示され、例えば特定の図柄を揃えて表示することで大当たり等の特別遊技状態への当選を演出する。
【００３１】
また、遊技盤２０の盤面には、入賞口に遊技球が入球することで入賞となる複数のチャッカー２１と、同じく入賞口に入球することで大当たり等の特別遊技状態への抽選を起動させる始動チャッカー２２と、特別遊技状態において一定時間又は一定数の遊技球が入球するまで開放し遊技球が入ると通常よりも多くの賞球を払い出す第１のアタッカー２３等の入賞役物が適宜の位置に配置されている。
【００３２】
チャッカー２１の入賞口には、入球した遊技球を検出する入賞球センサが取り付けられている。この入賞球センサは、例えば、磁気的、光学的、電気的手段等により遊技球の通過を非接触に検出する近接センサから形成される。
【００３３】
始動チャッカー２２は、いわゆる電動チューリップ構成の入賞役物であり、左右の羽部材を開閉させることで、ここへの入賞の確率を変動させることができるように構成されている。なお、この始動チャッカー２２の入賞口内にも上述したチャッカー２１と同様の入賞球センサ（始動口入賞球センサ）が設けられ、始動チャッカー２２への入球が検出されると、パチンコ機１の後述する主制御基板６０の内部抽選手段は、例えばアタッカー２３を開いて大当たり（確変当たり）等の通常よりも有利な条件でゲームができる特別遊技状態へ移行する抽選を行う。
【００３４】
第１のアタッカー２３は、中央に横長方形状の開口からなる大入賞口を有し、この大入賞口を大入賞口ソレノイドにより開閉可能とするシャッター（開閉扉）が取り付けられている。なお、通常遊技状態においてはこのシャッターは閉じられ、上述の始動チャッカー２２への入球の際に行われる抽選の結果、大当たり等の特別遊技状態が当選し、更に後述する第２のアタッカー８０のシャッターが開いてここの入賞口へ遊技球が入球したとき、当該特別遊技状態が成立する。
【００３５】
特別遊技状態が成立すると、第１のアタッカー２３のシャッターが前方へ倒され開放し、このアタッカー２３の大入賞口へ遊技球が落入することにより、他の入賞役物よりも多くの遊技球が払い出される。このため、この特別遊技状態においては、遊技者は通常よりも高い入賞確率でゲームを行うことができる。
【００３６】
また、第１のアタッカー２３の大入賞口内には、左右に二つの入賞口が設けられ、いずれか一方の入賞口が特別領域を形成し、例えば大当たり時には、この特別領域の入賞口へ遊技球が落入する限り継続して予定される最大回数まで特別遊技状態を続けることができる。なお、アタッカー２３のそれぞれの入賞口においても、チャッカー２１と同様の近接センサからなる入賞球センサ及び特定領域入賞球センサが設けられている。
【００３７】
また、遊技盤２０のほぼ中段位置には、本発明に関わる上述した第２のアタッカー８０が設けられている。この第２のアタッカー８０は、通常時にはシャッター８１が閉じて遊技盤２０を転動落下する遊技球を例えば一方側に誘導する傾斜レール部を盤面から突出させる。また、始動チャッカー２２への遊技球の入球を契機に起動した内部抽選手段が乱数による抽選処理を行った結果、大当たり等の特別遊技状態を当選するとシャッター８１が開き、更にその大入賞口に遊技球が入球することで当該特別遊技状態を成立させる。
【００３８】
なお、パチンコ機１の主制御基板６０に設けられる内部抽選手段は、ハードウエア乱数に基づく所定の確率のテーブル抽選をプログラム処理して実行し、少なくとも通常遊技状態よりも相対的に多くの利益が得られる大当たり等の特別遊技状態を抽選の対象としている。したがって、本実施形態の内部抽選手段は、始動チャッカー２２への入球を契機に特別遊技状態を所定の確率で抽選する。
【００３９】
また、本発明に関わる第２のアタッカー８０の詳細については後述する。
【００４０】
第２のアタッカー８０の下方位置と、その他遊技盤２０の適宜の位置には、スルーゲート２５が設けられている。スルーゲート２５は、例えば大当たり等の特別遊技状態が成立したゲームにおいて遊技球の通過を検知すると、始動チャッカー２２等の電動チューリップ構成の入賞役物を開閉動作させて、当該入賞口への入球（入賞）の確率を増加させる入賞役物である。このスルーゲート２５にも、遊技球の通過を検出する上述した入賞球センサが設けられている。
【００４１】
更に、遊技盤２０の盤面下方部には、何れの入賞口に入球せずに落下したアウト球を集合して排出させるアウト口２４が設けられている。
【００４２】
次に、基枠体３０の下方部には遊技補助盤３０ａが取り付けられている。この遊技補助盤３０ａの右上方部には、前面に開口する賞球払出口２７が形成され、当該賞球払出口２７に向けて底面が緩やかな下り勾配を有する貯球タンク２６が遊技補助盤３０ａの内側奥に収容されて取り付けられている。遊技において入賞時に払い出される賞球、又は貸し出し操作によって貸し出される貸球は、この貯球タンク２６を通って賞球払出口２７から受皿部５ａへ払い出される。また、ファール球その他のこぼれ球が貯球タンク２６で回収されて受皿部５ａへ戻されるように構成されている。
【００４３】
また、遊技補助盤３０ａの左方部には球発射装置５０が設けられている。球発射装置５０は、発射ハンドル８の回動操作に応じて、一体皿ユニット５の受皿部５ａに貯留されている遊技球を１球ずつ遊技盤２０の遊技領域へ打ち出す装置である。
【００４４】
球発射装置５０は、打撃ハンマ５０２のアームが球発射ソレノイド５０１に連結しており、球発射ソレノイド５０１を駆動することで、打撃ハンマ５０２の槌部が回動して遊技球を打撃し発射させる。
【００４５】
また、遊技補助盤３０ａには、球発射装置５０により発射された遊技球を遊技盤２０へ案内する発射レール５０３や、楽音や案内音声等の演出効果音を発生するスピーカ９等が取り付けられている。なお、遊技補助盤３０ａは、一体皿ユニット５の裏側に位置し、常時は閉鎖状態に保持される一体皿ユニット５によりその表面側が覆われている。
【００４６】
次に、図３及び図４を参照してパチンコ機１の裏面側の構造を説明する。
【００４７】
上述した遊技盤２０、球通路、その他各種機器等を装着支持する前枠３は、パチンコ機１の裏面側において、木枠２から内側に向けて張り出した係止部２ａに前枠３の施錠装置によって上下に可動する係止フック３０４が係止して木枠２を閉鎖する状態で固定されている。
【００４８】
また、前枠３の裏面側には、予備賞球通路１０２等の球通路等が形成され、賞球払出装置５２等の各種機器、また主制御基板６０等の各種制御基板が取り付けられた裏セット盤１０が着脱可能に取り付けられている。
【００４９】
すなわち、前枠３の適宜の箇所には回転ロック部材３０２が設置され、これら回転ロック部材３０２に対応する裏セット盤１０の所定位置に横長の係止口１０１が形成されている。裏セット盤１０は、係止孔１０１に各回転ロック部材３０２を挿通させて当該回転ロック部材３０２を９０度回転させることで、基枠体３０の裏面に取り付けられている。
【００５０】
裏セット盤１０には、パチンコ機１の上方に設備される図示しない球供給装置等から予備賞球が供給されこれを貯留するための予備球タンク５１が取り付けられている。また、裏セット盤１０には、予備球タンク５１から賞球払出装置５２へ予備賞球を案内する予備賞球通路１０２と、賞球払出装置５２から払い出された賞球又は貸球を一体皿ユニット５の受皿部５ａへ案内する賞球通路１０５と、入賞口へ入球した遊技球及びアウト口２４を介して回収されたアウト球を集合させて下方の回収球タンク（図示略）へ排出させる球排出通路１０６と、賞球払出装置５２により球抜きされた予備賞球を球排出通路１０６へ案内して上記回収球タンクへ排出させる球抜き通路１０７等の球通路が形成されている。
【００５１】
なお、遊技盤２０の各入賞口へ落入した遊技球、及びアウト口２４から排出された遊技球（これらを「遊技済み球」という）が、遊技盤２０の裏面と裏セット盤１０の前面との間の空間を落下して、遊技補助盤３０ａの裏面側に形成された球集合樋に集められる。そして、これら遊技済み球が裏セット盤１０に形成されている球排出通路１０６を通って遊技島側の設備である回収球タンクへと回収されるようになっている。
【００５２】
すなわち、裏セット盤１０が前枠３に取り付けられた状態において、球排出通路１０６の開口する上端が、前枠３の裏面側に形成された球集合樋の終端とアウト口２４とに連通している。したがって、各入賞口へ入球し球集合樋に集められた遊技球及びアウト口２４に入球したアウト球が、球排出通路１０６に集められ、下方底部の球排出通路出口１０６ａから落下して回収される。
【００５３】
裏セット盤１０の上部に形成された予備賞球通路１０２は、予備球タンク５１に接続し右方へ緩やかに下る傾斜樋部１０３と、終端で賞球払出装置５２と接続し略Ｓ字状に屈曲するＳ字レール部１０４とに概ね区分けされる。
【００５４】
傾斜樋部１０３の底面には、遊技球が流下する方向に沿ってリブ状の仕切り壁１０３ａが中央に設けられ、これにより２列の球通路が形成されている。また、傾斜樋部１０３内に突出して、球均し機構５４の球均し部材５４１が遊技球の流下方向に沿って２カ所に回動自在に吊り下げられている。かかる構成により、傾斜樋部１０３の底面から一定高さ以上で流下する遊技球（予備賞球）は、球均し部材５４１に衝突ながら移動することでほぼ均一に均され、リブ状の仕切り壁１０３ａによって２列に整列して効率良くＳ字レール部１０４へと転送される。Ｓ字レール部１０４は、下方に向かいながら二段に屈曲する球通路から形成され、これにより、予備賞球通路１０２内に積み重ねられて待機する遊技球が賞球払出装置５２に与える重圧を緩和している。
【００５５】
傾斜樋部１０３の終端近傍には、必要に応じてこの球通路を手動で閉鎖し予備賞球の流れを停止可能とする球止め機構５５が設けられている。
【００５６】
また、裏セット盤１０には、予備賞球通路１０２のＳ字レール部１０４に接続して賞球払出装置５２が取り付けられている。賞球払出装置５２は、Ｓ字レール部１０４の終端に繋がって予備賞球を受容する受容口と、賞球又は貸球を賞球通路１０５へ払い出す払出口と、球抜き動作時に予備賞球を球排出通路１０６へ排出する払出口が設けられる。
【００５７】
なお、賞球払出装置５２は、球払出モータ等を内蔵し、払出制御基板６２から出力される払出指令信号に従って球払出モータが所定の回転方向に作動すると、当該払出指令信号に基づく個数の遊技球（賞球又は貸球）を賞球通路１０５へ払い出し、払出制御基板６２から球抜きの指令信号を入力すると、球払出モータが他方の回転方向に作動して、予備賞球通路１０２内の遊技球を全て球抜き通路１０７へ排出させるようになっている。
【００５８】
裏セット盤１０に形成される賞球通路１０５は、賞球払出装置５２を始端として電源装置ユニット６３の上方において屈曲し、左方へ緩やかに下りながら前面に開口する賞球通路出口１０５ａへと連通している。賞球通路出口１０５ａは、前枠３の遊技補助盤３０ａに収容されている貯球タンク２６の一端に密接し、これにより、賞球払出装置５２から払い出される賞球又は貸球が賞球通路１０５及び貯球タンク２６を経由して、一体皿ユニット５の受皿部５ａへ払い出されるように形成されている。
【００５９】
裏セット盤１０の略中央には長方形の開口部が形成されており、裏セット盤１０が前枠３に装着された状態においては、遊技盤２０の裏面から突出する液晶表示ユニット５３とともにその裏面に取り付けられたサブ制御基板６１を開口部に受容する。そして、これら液晶表示ユニット５３とサブ制御基板６１を覆うように、半透明なプラスチック製のカバー部材１０８が取り付けられている。
【００６０】
また、裏セット盤１０には、賞球及び貸球の払出し制御等を行う払出制御基板６２と、電源装置ユニット６３と、複数のコネクタが取り付けられて制御信号や電力の中継を行う遊技盤中継基板６４と、パチンコ機１の稼働状態若しくは遊技機情報をホール（遊技店舗）の中央の管理機器である例えばホールコンピュータへ出力するための外部端子基板６５等が取り付けられ、これら各種機器及び電子回路基板がワイヤーハーネス等で電気的に接続される。
【００６１】
これらパチンコ機１に設けられる制御基板によって制御される各種機器の動作について次に説明する。
【００６２】
主制御基板６０は、演算装置としてのＣＰＵと半導体メモリであるＲＯＭ、及びＲＡＭ等の電子部品が搭載されており、ＲＯＭに予め記憶されているシステムプログラムに従ってＣＰＵが入賞役及び演出の抽選等の演算処理を実行してパチンコゲームが展開される。また、主制御基板６０には、サブ制御基板６１と、払出制御基板６２と、遊技盤中継基板６４等の各制御基板がワイヤーハーネスで接続され、これら制御基板へ指令信号を送信して各制御基板に分散制御を行わせることによりパチンコ機１全体を統括制御している。
【００６３】
ここで、サブ制御基板６１は、主制御基板６０からの演出制御信号に従い、ゲームの進行に応じて液晶表示ユニット５３に図柄等の画像を表示させる制御と、スピーカ９に対して演出効果音を鳴動させる制御と、演出用照明部４ａ、４ｂ、４ｃ等のランプ類を点灯・点滅させる制御等を行っている。
【００６４】
また、主制御基板６０には、チャッカー２１及び始動チャッカー２２等に設けられている入賞球センサが遊技盤中継基板６４を介して接続され、主制御基板６０のＣＰＵがこれらの作動を検出すると、所定数の賞球を払い出すべき旨の指令信号を払出制御基板６２へ送出する。また、主制御基板６０は、始動チャッカー２２の始動口入賞球センサの作動を検知すると、内部抽選手段であるハードウエア抽選回路を起動して入賞役の抽選を行う。このとき、主制御基板６０は、サブ制御基板６１に対し演出制御信号を送出することで、飾り部材２８に設けられた液晶表示ユニット５３に複数図柄を変動表示させたり、演出用放音部５ｂのスピーカ９に入賞に係る効果音を発生させたり、演出用照明部４ａ、４ｂ、４ｃを点灯又は点滅等させることで、入賞への期待を高める演出を行っている。
【００６５】
また、主制御基板６０は、大当たり等の特別遊技状態を内部当選すると、サブ制御基板６１に指令して当該入賞役に係る図柄が揃う画像を液晶表示ユニット５３に表示させるとともに、遊技盤中継基板６４を制御して大入賞口ソレノイド８６を作動し第２のアタッカー８０のシャッター８１を開放させる。そして、所定時間内に第２のアタッカー８０の入賞口８５への入球を入賞球センサ８４が検知したとき、主制御基板６０は、当該特別遊技状態の成立を確定し遊技の処理を移行させる。
【００６６】
この特別遊技状態では、主制御基板６０は、遊技盤中継基板６４を制御して一定の要件下において第１のアタッカー２３のシャッターを開放させる。これにより特別遊技状態では、第１のアタッカー２３への入球が可能となり、主制御基板６０は、アタッカー２３内に設けられている入賞球センサ又は特定領域入賞球センサが入賞口への入球を検出する毎に、所定数の賞球を払い出すべき旨の指令信号を払出制御基板６２へ送出する。
【００６７】
払出制御基板６２には、賞球払出装置５２の球払出モータと、カウントセンサとが接続されている。払出制御基板６２は、主制御基板６０から所定数の賞球を払い出すべき旨の指令信号を受信すると、賞球払出装置５２の球払出モータを作動して、実際に払い出された賞球をカウントセンサがカウントしながら所定数の賞球の払い出しを行っている。
【００６８】
更に、払出制御基板６２は、外部端子基板６５を介して予備球タンク５１に設けられるタンク球切れスイッチからの球切れ検出信号を入力し、予備球タンク５１内の球切れ状態が所定時間以上継続しているときには、賞球払出装置５２の作動を停止するように制御している。
【００６９】
球発射装置５０の下方部に設けられている発射制御基板６６は、発射ハンドル８の操作に応じて球発射装置５０の動作を制御する制御基板であり、発射ハンドル８に内蔵されるタッチセンサと、ポテンショメータと、停止スイッチと、球発射装置５０の球発射ソレノイド５０１等が接続されている。
【００７０】
発射ハンドル８に設けられるタッチセンサは、例えば静電容量型のセンサから形成され、遊技者等が発射ハンドル８の回動操作部８ａを触れている間、検出信号（オン信号）を発射制御基板６６へ送出する。ポテンショメータは、回動操作部８ａが回動操作された回転角度に応じて電気抵抗が変化する。このため、例えば一定の電流をポテンショメータに供給することで、発射ハンドル８の回動操作量に応じた電圧信号を発射制御基板６６は得ることができる。停止スイッチは、遊技球の打ち出しを停止させるために発射ハンドル８に設けられた押圧式のスイッチである。
【００７１】
発射制御基板６６は、遊技者等が発射ハンドル８に触れタッチセンサがこれを検出している間、ポテンショメータにより検出される回動操作部８ａの回動角度に応じたトルクで球発射装置５０の球発射ソレノイド５０１を作動させる。これにより、発射ハンドル８の回動操作量に応じた打撃力で遊技球を遊技盤２０へ打ち出す。
【００７２】
また、発射制御基板６６は、発射ハンドル８の停止スイッチの作動を検出すると、その間は遊技者等が発射ハンドル８に触れていても球発射ソレノイド５０１の作動を規制する。また、発射制御基板６６は、払出制御基板６２に接続される受皿満タンスイッチ５６が、受皿部５ａに保持される遊技球の満杯状態を検知した場合も、球発射装置５０の作動を規制してゲームを中断させる。
【００７３】
外部端子基板６５は、ホールの例えばホールコンピュータと配線ケーブルで接続され、該ホールコンピュータに対し当該パチンコ機１の稼動状態等を報知するための出力端子基板として主に機能する。
【００７４】
外部端子基板６５には、上述した主制御基板６０及び払出制御基板６２等が接続され、これらの制御基板から当該パチンコ機１における現在の遊技機情報である例えば大当たり（特別遊技）状態、賞球払出装置５２の作動状態（遊技球の払い出し中か否か）等の情報を取得して、上述したホールコンピュータへ出力し報知する。
【００７５】
次に、本発明の弾球遊技機に関わる特徴的な部分である第２のアタッカー８０について図５を参照しながら説明する。なお、図５（ａ）はシャッター８１が開放した状態におけるアタッカー８０の正面図と縦断面図、図５（ｂ）はシャッター８１が閉塞した状態におけるアタッカー８０の正面図と縦断面図である。
【００７６】
なお、第２のアタッカー８０は、上述した第１のアタッカー２３と概略的には同一の構造を有している。すなわち、アタッカー８０は、遊技盤２０に形成された横長方形状の開口からなる大入賞口８２と、その大入賞口８２の下辺部において回動可能に軸支され当該大入賞口８２を開放、閉塞させるシャッター８１とから主に形成されている。
【００７７】
遊技盤２０を穿設して形成した大入賞口８２奥側一箇所には、当該大入賞口８２へ入球した遊技球を遊技盤２０の裏面側の図示しない球集合樋へ排出する入賞口８５が形成されている。そして、入賞口８５から排出された遊技球が遊技盤２０の裏面側に設けられた入賞球センサ８４に検出されて、当該アタッカー８０への入球が主制御基板６０に検知されるように構成されている。
【００７８】
また、シャッター８１の前面には、当該前面に対して立設し当該シャッター８１が閉塞した状態で右方にかけて緩やかに下る上面を有する傾斜レール部８３が一体的に形成されている。
【００７９】
シャッター８１は、大入賞口ソレノイド８６により回動駆動され、例えば図５（ａ）に示されるように大入賞口８２を開放する状態では、遊技盤２０の盤面に対して前方約９０度弱に倒された回動位置となる。これにより、アタッカー８０に落下した遊技球をシャッター８１が捕らえ、大入賞口８２へ誘導して入球させる。
【００８０】
一方、図５（ｂ）に示されるように、シャッター８１が大入賞口８２を閉塞する状態では、当該シャッター８１の前面が遊技盤２０の盤面と同一面に位置することとなる。このとき、上述した傾斜レール部８３が対向する遊技領域空間内に突出するため、アタッカー８０の位置に落下した遊技球は、傾斜レール部８３の上面を転動落下して右下方の端側へ誘導される。
【００８１】
このように、シャッター８１の前面に遊技球を誘導する傾斜レール部８３が形成されたことにより、従来の釘間に遊技球が留まらない程度の傾斜を要するゲージよりも緩やかな勾配で遊技球の球筋の特性を設定することができる。
【００８２】
これにより、アタッカー８０を含む下方側の入賞役物（例えば、チャッカー２１、始動チャッカー２２、スルーゲート２５等）を遊技盤２０の比較的高い位置に設けることができる。したがって、パチンコ機１における１回のゲームの消化時間が短縮され、その稼働率（回転）も向上する。
【００８３】
また、傾斜レール部８３により遊技球の球筋を緩やかにできることから、遊技盤２０の遊技領域の制限をあまり受けずに入賞役物を遊技盤２０の比較的高い位置に設けることができ、その効果として、例えば図１に示したように、左側の遊技ルートの途中にアタッカー８０を設けることができる。これにより、パチンコ機１の遊技領域を左側の遊技ルートのみにひとつに設定することができる。したがって、遊技者は、常に遊技盤２０の天部（センター）を狙って遊技球を打ち出せば、例えば右打ち等の特殊な打ち方を知らなくても、大当たり（特別遊技状態）で期待される十分な数の賞球を効率良く獲得することができる。
【００８４】
また、傾斜レール部８３を一体形成したため、釘のように不正に球筋が調整されることもない。
【００８５】
なお、アタッカー８０に形成される傾斜レール部８３は、右下方に傾斜する実施形態に限定せず、左下方に傾斜しているものでもよいし、複数の斜面を組み合わせて例えば両方の端側に遊技球を振り分けるようにしてもよい。
【図面の簡単な説明】
【００８６】
【図１】本発明の一実施形態によるパチンコ機の外観構造を表した正面図である。
【図２】図１に示したパチンコ機のガラス枠及び一体皿ユニットを開放した状態において内部構造を表した図である。
【図３】図１に示したパチンコ機の側面図である。
【図４】図１に示したパチンコ機の背面図である。
【図５】図１に示したパチンコ機に備えられるアタッカーの実施形態を表した正面図と縦断面図である。
【符号の説明】
【００８７】
１…パチンコ機                              ２…木枠
３…前枠                                    ３ａ…ヒンジ部材
４…ガラス枠                                ４ａ、４ｂ、４ｃ…演出用照明部
５…一体皿ユニット                          ５ａ…受皿部
５ｂ…演出用放音部                          ５ｃ、５ｄ…球抜きボタン
５ｅ…球排出口                              ６…鍵穴
８…発射ハンドル                            ８ａ…回動操作部
９…スピーカ                                １０…裏セット盤
２０…遊技盤                                ２０ａ…係止孔
２１…チャッカー                            ２２…始動チャッカー
２３…アタッカー                            ２４…アウト口
２５…スルーゲート                          ２６…貯留タンク
２８…飾り部材                              ３０…基枠体
３０ａ…遊技補助盤                          ３１…遊技盤収容部
５０…球発射装置                            ５１…予備球タンク
５２…賞球払出装置                          ５３…液晶表示ユニット
６０…主制御基板                            ６１…サブ制御基板
６２…払出制御基板                          ６３…電源装置ユニット
６４…遊技盤中継基板                        ６６…発射制御基板
７１…外レール                              ７２…内レール
８０…アタッカー                            ８１…シャッター
８２…大入賞口                              ８３…傾斜レール部
８４…入賞球センサ                          ８５…入賞口
８６…大入賞口ソレノイド                    １０３…予備球通路
１０６…球集合排出通路                      ３０１…回転ロック部材
５０１…球発射ソレノイド                    ５０２…打撃ハンマ
【図１】
2007236791.tif 000003
【図２】
2007236791.tif 000004
【図３】
2007236791.tif 000005
【図４】
2007236791.tif 000006
【図５】
2007236791.tif 000007